(57)【要約】【課題】改善された入口サイレンサバッフルのためのシステムおよび方法を提供する。【解決手段】  システムが、流体流路に沿って流体導管内に取り付けられたサイレンサバッフルを含む。サイレンサバッフルは、流体導管の対向する側部間に延在する支持構造体の周りに横方向に互いに結合する第１および第２のバッフル部分を有する第１のバッフルセクションを含む。【選択図】図１
2018115659.tif 000002
【特許請求の範囲】
【請求項１】
流体流路に沿って流体導管（２７）に取り付けるように構成されたサイレンサバッフル（２８）を備えたシステム（１０）であって、前記サイレンサバッフル（２８）は、
前記流体導管（２７）の対向する側部間に延在する支持構造体（５４）の周りで互いに横方向（１９）に結合するように構成された第１および第２のバッフル部分（６８、７０）を有する第１のバッフルセクション（３６）
を含む、システム（１０）。
【請求項２】
前記第１および第２のバッフル部分（６８、７０）が、前記支持構造体（５４）の長手方向軸（５７）に対して横断する方向に互いに結合するように構成されている、請求項１に記載のシステム（１０）。
【請求項３】
前記支持構造体（５４）が支持ロッド（５６）を備える、請求項２に記載のシステム（１０）。
【請求項４】
前記第１のバッフル部分（６８）が、前記支持ロッド（５６）の第１の側面を受け入れるように構成された１つまたは複数の第１の湾曲凹部（１１８）を備え、前記第２のバッフル部分（７８）が、前記支持ロッド（５６）の第２の側面を受け入れるように構成された１つまたは複数の第２の湾曲凹部（１１８）を備える、請求項３に記載のシステム（１０）。
【請求項５】
前記１つまたは複数の第１の凹部（１１８）が、前記支持ロッド（５６）の前記長手方向軸（５７）に沿って第１のシリーズで互いに離間した１つまたは複数の対応する第１の可撓性クランププレート（１１６）に配置され、前記１つまたは複数の第２の凹部（１１８）が、前記支持ロッド（５６）の前記長手方向軸（５７）に沿って第２のシリーズで互いに離間した１つまたは複数の対応する第２の可撓性クランププレート（１１６）に配置される、請求項４に記載のシステム（１０）。
【請求項６】
前記第１および第２のバッフルセクション（３６）が、前記１つまたは複数の第１の湾曲凹部（１１８）および前記１つまたは複数の第２の湾曲凹部（１１８）の横方向（１９）に対向する側部に配置された嵌合継手（８８）を介して互いに結合されている、請求項５に記載のシステム（１０）。
【請求項７】
前記第１のバッフルセクション（３６）が、１つまたは複数の第１のクランププレート（１１６）を備え、前記第２のバッフルセクション（３６）が、１つまたは複数の第２のクランププレート（１１６）を備え、前記第１のクランププレート（１１６）および前記第２のクランププレート（１１６）は、前記支持構造体（５４）の周りにクランプするように構成され、前記第１のクランププレート（１１６）および前記第２のクランププレート（１１６）の各々は、前記支持構造体（５４）の長手方向軸（５７）に対して概ね横断する平面内に延在する、請求項１に記載のシステム（１０）。
【請求項８】
前記第１および第２のバッフルセクション（３６）が、嵌合継手（８８）を介して互いに結合されている、請求項１に記載のシステム（１０）。
【請求項９】
前記嵌合継手（８８）が、雌型継手（９２）内に配置された雄型継手（９０）の１つまたは複数の対、嵌合するスナップフィット継手、またはそれらの組み合わせを含む、請求項８に記載のシステム（１０）。
【請求項１０】
前記第１のバッフルセクション（３６）が、内部チャンバ（７１）の周りに配置されたバッフルシェルと、前記内部チャンバ（７１）内に配置された吸音材料とを含み、前記第１のバッフル部分（６８）は、前記内部チャンバ（７１）の第１のチャンバ部分（７３）を有する第１のバッフルシェル部分（６７）を含み、前記第２のバッフル部分（７８）は、前記内部チャンバ（７１）の第２のチャンバ部分（７５）を有する第２のバッフルシェル部分（６９）を含む、請求項１に記載のシステム（１０）。
【請求項１１】
前記第１および第２のバッフル部分（７８）を有する前記第１のバッフルセクション（３６）が、前記サイレンサバッフル（２８）の前縁セクション（４０）を含む、請求項１に記載のシステム（１０）。
【請求項１２】
前記サイレンサバッフル（２８）が、前記第１のバッフルセクション（３６）と共に列（５０）に配置された第２のバッフルセクション（３６）を含み、前記第２のバッフルセクション（３６）が、前記支持構造体（５４）の周りに横方向（１９）に互いに結合するように構成された第３および第４のバッフル部分を有する、請求項１に記載のシステム（１０）。
【請求項１３】
前記サイレンサバッフル（２８）が、第１の嵌合するインターロック構造（３８）を介して前記第１のバッフルセクション（３６）に結合された第２のバッフルセクション（３６）と、第２の嵌合するインターロック構造（３８）を介して前記第２のバッフルセクション（３６）に結合された第３のバッフルセクション（３６）とを含む、請求項１に記載のシステム（１０）。
【請求項１４】
前記第１のバッフルセクション（３６）が、前記サイレンサバッフル（２８）の前縁セクション（４０）を含み、前記第２のバッフルセクション（３６）が、前記サイレンサバッフル（２８）の中間セクション（４４）を含み、前記第３のバッフルセクション（３６）が、前記サイレンサバッフル（２８）の後縁セクション（４２）を含む、請求項１３に記載のシステム（１０）。
【請求項１５】
前記第１のバッフルセクション（３６）が、第１の嵌合継手（８８）と互いに結合された前記第１および第２のバッフル部分（６８、７０）を有し、前記第２のバッフルセクション（３６）が、第２の嵌合継手（８８）と互いに結合された第３および第４のバッフル部分を有し、前記第３のバッフルセクション（３６）が、第３の嵌合継手（８８）と互いに結合された第５および第６のバッフル部分を有する、請求項１４に記載のシステム（１０）。
【請求項１６】
前記システム（１０）が、前記支持構造体（５４）および少なくとも１つのガイドレール（５８）を有する前記流体導管（２７）を備え、前記サイレンサバッフル（２８）は前記ガイドレール（５８）に沿って配置されている、請求項１に記載のシステム（１０）。
【請求項１７】
前記システム（１０）が、前記サイレンサバッフル（２８）を有する前記流体導管（２７）に結合するように構成されたタービンエンジン（１２）を備える、請求項１に記載のシステム（１０）。
【請求項１８】
流体流路に沿って流体導管（２７）内に取り付けるように構成されたサイレンサバッフル（２８）を備えたシステム（１０）であって、前記サイレンサバッフル（２８）は、
前記流体導管（２７）の対向する側部間に延在する支持構造体（５４）の周りで横方向（１９）に互いに結合するように構成された第１および第２のバッフル部分（６８、７０）を有する第１のバッフルセクション（３６）と、
前記第１のバッフルセクション（３６）に第１の嵌合するインターロック構造（３８）で結合するように構成された第２のバッフルセクション（３６）と、
前記第２のバッフルセクション（３６）に第２の嵌合するインターロック構造（３８）で結合するように構成された第３のバッフルセクション（３６）と、
を含み、
前記第１のバッフルセクション（３６）は前縁バッフルセクション（４０）を含み、前記第２のバッフルセクション（３６）は中間バッフルセクション（４４）を含み、前記第３のバッフルセクション（３６）は後縁バッフルセクション（４２）を含む、
システム（１０）。
【請求項１９】
流体導管（２７）の対向する側部間に延在する支持構造体（５４）の周りでサイレンサバッフル（２８）の第１のバッフルセクション（３６）の第１および第２のバッフル部分（６８、７０）を横方向（１９）に互いに結合するステップと
第１の嵌合するインターロック構造（３８）を介して前記第１のバッフルセクション（３６）を第２のバッフルセクション（３６）と互いに結合するステップと、
第２の嵌合するインターロック構造（３８）を介して前記第２のバッフルセクション（３６）を第３のバッフルセクション（３６）と互いに結合するステップと
を含む、方法。
【請求項２０】
前記第２の嵌合するインターロック構造（３８）を介して前記第２のバッフルセクション（３６）および前記第３のバッフルセクション（３６）を互いに結合した後に、前記流体導管（２７）内に前記第２のバッフルセクション（３６）および前記第３のバッフルセクション（３６）を挿入するステップと、
続いて、嵌合継手（８８）を介して前記第１のバッフル部分（６８）および前記第２のバッフル部分（７８）を前記支持構造体（５４）の周りで横方向（１９）に結合すると同時に、前記第１の嵌合するインターロック構造（３８）を介して前記第１のバッフルセクション（３６）および前記第２のバッフルセクション（３６）を結合するステップと
を含む、請求項１９に記載の方法。
【発明の詳細な説明】
【技術分野】
【０００１】
本明細書に開示される主題は、ガスタービンエンジン用の空気ダクト内のノイズを抑制するためのシステムおよび方法に関する。
【背景技術】
【０００２】
ガスタービンエンジンなどの発電機器は、燃焼プロセスを支援するために大量の吸気の供給を使用することができる。タービンの適切な性能を維持するために、空気が圧縮機で圧縮される前に、吸気をフィルタ処理して不要な塵、水分および他の汚染物質を除去する。吸気ハウジングおよび大きな空気ダクトを通って移動する大量の空気は、ガスタービン圧縮機ブレードによって生成される重要な音響エネルギーのための導管として作用し、これは過剰なノイズの原因となる可能性がある。
【先行技術文献】
【特許文献】
【０００３】
【特許文献１】米国特許第９３０９８４２号明細書
【発明の概要】
【０００４】
最初に特許請求する主題の範囲に相応する特定の実施形態を以下に要約する。これらの実施形態は特許請求する主題の範囲を限定しようとするものではなく、むしろ、これらの実施形態は特許請求する主題の可能性がある形式の概要を提供しようとするものにすぎない。実際、特許請求する主題は、以下に記載する実施形態に類似してもよく、あるいは異なってもよい様々な形態を含むことができる。
【０００５】
第１の実施形態では、システムは、流体流路に沿って流体導管に取り付けられたサイレンサバッフルを含み、サイレンサバッフルは複数のバッフルセクションを含み、複数のバッフルセクションの少なくとも２つのバッフルセクションは、嵌合するインターロック構造を介して互いに結合する。システムは、複数のバッフルセクションの少なくとも１つのバッフルセクションを含み、これらのバッフルセクションは、嵌合継手を介して互いに結合する第１および第２のバッフル部分を有する。
【０００６】
第２の実施形態では、システムは、流体流路に沿って流体導管に取り付けられたサイレンサバッフルを含み、サイレンサバッフルは、流体導管の対向する側部間に延在する支持構造体の周りで互いに結合する第１および第２のバッフル部分を含む。
【０００７】
第３の実施形態では、システムは、流体流路に沿って流体導管に取り付けられたサイレンサバッフルを含み、サイレンサバッフルは、内部チャンバの周りに互いに結合する第１および第２のバッフル部分と、内部チャンバに配置された吸音材料とを含む。
【０００８】
本主題のこれらの、ならびに他の特徴、態様および利点は、添付の図面を参照しつつ以下の詳細な説明を読めば、よりよく理解されよう。添付の図面では、図面の全体にわたって、類似する符号は類似する部分を表す。
【図面の簡単な説明】
【０００９】
【図１】吸気ハウジングの空気ダクト内に配置された複数のモジュール化されたバッフルセクションを有するサイレンサバッフルを備えた発電システムの一実施形態の概略図である。
【図２】図１の組み立てられたサイレンサバッフルの一実施形態の概略側面図である。
【図３】図１〜図２の線３−３に沿った流体導管の側部に配置された複数のガイドレールを有するパネルの一実施形態の断面図である。
【図４】組み立て前の図１〜図２の線４−４に沿ったサイレンサバッフルの後縁セクションの一実施形態の断面図である。
【図５】組み立て後の図１〜図２の線４−４に沿ったサイレンサバッフルの後縁セクションの実施形態の断面図である。
【図６】組み立て前の図１〜図２の線４−４に沿ったサイレンサバッフルの中間セクションの一実施形態の断面図である。
【図７】組み立て後の図１〜図２の線４−４に沿ったサイレンサバッフルの中間セクションの一実施形態の断面図である。
【図８】後縁セクションと中間セクションが互いに結合される前の図１〜図２の線４−４に沿ったサイレンサバッフルの後縁セクションおよび中間セクションの一実施形態の断面図である。
【図９】後縁セクションと中間セクションが互いに結合された後の図１〜図２の線４−４に沿ったサイレンサバッフルの後縁セクションおよび中間セクションの一実施形態の断面図である。
【図１０】前縁セクションの第１および第２のバッフル部分が図９の組み立てられた中間セクションおよび後縁セクションに結合される前の、図１〜図２の線４−４に沿ったサイレンサバッフルの前縁セクションの一実施形態の断面図である。
【図１１】前縁セクションの第１のバッフル部分が支持構造体の周りで図９の組み立てられた中間セクションおよび後縁セクションに結合された後の、図１〜図２の線４−４に沿ったサイレンサバッフルの前縁セクションの一実施形態の断面図である。
【図１２】前縁セクションの第２のバッフル部分が支持構造体の周りで図９の組み立てられた中間セクションおよび後縁セクションに結合された後の、図１〜図２の線４−４に沿ったサイレンサバッフルの前縁セクションの一実施形態の断面図である。
【図１３】複数の雄型および雌型継手を示す、図２の線１３−１３に沿ったサイレンサバッフルの前縁セクションの第１のバッフル部分の一実施形態の断面図である。
【図１４】複数の雄型および雌型継手を示す、図２の線１４−１４に沿ったサイレンサバッフルの後縁セクションの第１のバッフル部分の一実施形態の断面図である。
【図１５】バッフル部分を互いに結合するために使用される雄型および雌型継手の一実施形態の部分断面図である。
【図１６】図１のバッフルセクションの間に利用されるダブテールロックの一実施形態を示すバッフルセクションの部分斜視図である。
【図１７】図１６の線１７−１７に沿ったダブテールロックの一実施形態の部分断面図である。
【図１８】図１６の線１８−１８に沿ったダブテールロックの一実施形態の部分断面図である。
【図１９】サイレンサバッフルのバッフルセクションの外面の一実施形態の拡大図である。
【図２０】本明細書に開示された実施形態によるサイレンサバッフルを形成する方法を示す図である。
【図２１】本明細書に開示された実施形態によるサイレンサバッフルを取り付ける方法を示す図である。
【発明を実施するための形態】
【００１０】
以下で、特許請求する本主題の１つまたは複数の具体的な実施形態を説明する。これらの実施形態の簡潔な説明を提供するために、実際の実装のすべての特徴が本明細書に記載されていなくてもよい。任意のエンジニアリングまたは設計プロジェクトにおけるような、任意のこのような実際の実装の開発においては、例えば、システム関連およびビジネス関連の制約の遵守のような開発者の特定の目標を達成するために、別の実装によって異なる可能性がある多くの実装の詳細が決定される必要があることを理解されたい。さらに、このような開発作業は複雑で時間がかかるかもしれないが、にもかかわらず、この開示の利益を得る当業者にとっては、設計、製作、および製造の日常的な仕事であることが理解されるべきである。
【００１１】
特許請求する本主題の様々な実施形態の要素を導入する場合に、単数の表現および「前記」は１つまたは複数の要素があることを意味するものである。「備える」、「含む」、および「有する」という用語は、包括的なものであって、列挙された要素以外の付加的な要素があり得ることを意味するものである。
【００１２】
特許請求する主題の実施形態は、ガスタービンエンジンを含む発電システムを含み、システムは、流体（例えば、空気、再循環排気ガスなど）を圧縮機に流すための導管（例えば、吸気もしくは排気ハウジングおよびダクト）を含む。１つまたは複数のサイレンサバッフル（例えば、１，２，３，４，５，６，７，８，９または１０）の平行なバッフルが、ハウジングまたはダクト（例えば、吸気口または排気口）に配置されてもよい。各サイレンサバッフルは、互いにほぼ直線状に整列した複数のバッフルセクションを含む。バッフルセクションは、嵌合するインターロック構造などの固定可能な結合部を介して互いに結合される。嵌合するインターロック構造は、結合されたときに隣接するバッフルセクションを互いに固定する雌型継手部分および雄型継手部分を含むことができる。雄型および雌型継手部分は、バッフルセクションの構成において鏡像関係にあるので、両者を互いに結合（例えば、ロック）することができる。バッフルセクションを、１つの射出成形型によって製造することができる。例えば、嵌合するインターロック構造は、嵌合レール部分、嵌合ダブテール継手、嵌合フックおよびスロット継手、嵌合ラッチ、嵌合するスナップフィット結合、またはこれらの任意の組み合わせを含むことができる。２つ以上のバッフルセクションが組み立てられて、サイレンサバッフルを形成する。サイレンサバッフルのバッフルセクションは、組み立てられて、吸気ハウジングおよび／または空気ダクト内に取り付けられると、複数の行および列を形成することができる。バッフルセクションを、発電システムの吸気部（例えば、吸気部、排気ガス再循環、など）、排気システム、または任意の他の適切な流路（例えば、適切な温度を有するガス流路）内で使用することができる。
【００１３】
各バッフルセクションを、第１のバッフル部分と第２のバッフル部分とを雄雌嵌合する継手を介して互いに結合することによって形成することができる。理解され得るように、雄型および雌型継手は、ダブテール継手の形態であってもよい。各バッフル部分は、内部チャンバを有することができる。吸音インサートを内部チャンバに挿入して、ノイズを吸収することができる。吸音インサートは、雄雌嵌合する継手の構造用リブまたは支持体、および他の内部機構に適合する開口部を有することができる。１つまたは複数のバッフルセクション（例えば、前縁バッフルセクション）を、支持構造体（例えば、ロッドまたはパイプ）の周りに形成することができる。ロッドは、溶接のような適切な方法によってダクトパネルに固定されてもよい。各バッフルセクション（例えば、前縁バッフルセクション、後縁バッフルセクション、および中間セクション）を形成するために、嵌合継手を互いに結合することによってバッフルセクションを形成することができる。後縁バッフルセクションおよび中間セクションは、嵌合するインターロック機構を介して互いに結合されて、組み立てられた中間セクションおよび後縁セクションを形成することができる。組み立てられた中間セクションおよび後縁セクションを、１つまたは複数のレールガイドを介してダクトに取り付けることができる。次いで、前縁バッフルセクションの第１のバッフル部分を組み立てられた中間セクションおよび後縁セクションに結合することによって、前縁バッフルセクションを形成することができる。第１のバッフル部分を、支持構造体（例えば、ロッドまたはパイプ）の周りに取り付けることもできる。次いで、前縁バッフルセクションの第２のバッフル部分を、組み立てられた中間セクションおよび後縁セクションに結合することができる。また、第２のバッフル部分を、完全に組み立てられたサイレンサバッフルを形成するために、支持構造体（例えば、ロッドまたはパイプ）の周りに、および前縁バッフルセクションの第１のバッフル部分に取り付けるけることができる。
【００１４】
サイレンサバッフルの外周部は、前縁バッフルセクションから後縁バッフルセクションまで徐々に湾曲し（例えば、テーパが付けられ）、より空力的な形状（例えば、翼形形状のバッフル）を形成する。サイレンサバッフルの外側バッフルシェル（例えば、外壁または表面）はまた、１つまたは複数のパターンを含むことができる。パターンは、凹部および／または突出部（例えば、ディンプル）を含むことができ、バッフルシェル内に配置された音響材料（例えば、吸音材料）によってノイズが吸収されることを可能にする。
【００１５】
ここで図面を参照すると、図１は、本明細書に開示するモジュール化されたサイレンサバッフルセクション３６を使用する吸気ダクトまたは流体導管２７（例えば、空気ダクト）を有する吸気ハウジング２６内に配置された複数のバッフルセクション３６を含むサイレンサバッフル２８を有する発電システム１０の一実施形態の概略図である。以下の説明では、軸方向もしくは軸方向軸１３、半径方向もしくは半径方向軸１５、円周方向もしくは円周方向軸１７、および／または横方向１９を含む様々な方向を参照することができる。発電システム１０は、圧縮された酸化剤（例えば、空気２４）と燃料１８との混合気を受け取り、燃焼させるための圧縮機１４および１つもしくは複数の燃焼器１６を有するガスタービンエンジン１２と、空気燃料混合気の燃焼によって生成される高温ガスによって駆動される１つまたは複数のタービン２０と、を含む。
【００１６】
高温燃焼ガスはタービン２０を駆動し、タービン２０は次に圧縮機１４および１つもしくは複数の他の負荷２２を駆動する。例えば、図示された実施形態では、ガスタービンエンジン１２は、発電機などの様々な負荷２２に結合されてもよい。タービン２０を駆動した後、高温ガスは排気スタック３０を通って出て、大気に排出される。ガスタービンエンジン１２は、吸気ガス２４（例えば、周囲空気などの酸化剤）を吸気ハウジング２６および空気ダクト２７を通して空気圧縮機１４に吸入する。図示された実施形態は空気２４を示しているが、吸気ガス２４は、空気、酸素、酸素富化空気、酸素還元空気、排気再循環ガス（ＥＧＲ）、またはこれらの任意の組み合わせを含むことができる。それにもかかわらず、以下の議論では、非限定的な例として空気を参照する。吸気２４が発電システム１０に入ると、吸気２４は、まずガスタービンエンジン１２に結合された吸気ハウジング２６を（例えば、軸方向１３に）通過する。吸気ハウジング２６は、吸気通路の周りに延びるダクト２７を含み、ダクト２７は、対向する側壁部分またはパネル８０、例えば上部パネル８２および底部パネル８４を含む。サイレンサバッフル２８は、以下に詳細に説明するように、上部パネル８２および底部パネル８４に固定される。吸気ハウジング２６の内部には、以下に詳細に説明するように、サイレンサバッフル２８のアレイが利用される。サイレンサバッフル２８はまた、通気システム３２またはガスタービンエンジン１２の他の領域で利用することもでき、ガスの温度は、非金属材料（例えば、プラスチック、複合材料など）で作られたサイレンサバッフル２８を利用するのに十分低い。他の実施形態では、サイレンサバッフル２８を、金属材料、または金属／非金属複合材料で作ることができる。一例では、通気システム３２は、サイレンサバッフル２８を使用できるように、通気システム３２を通って排気されるガスの温度を低下させるためのファン３４を含むことができる。
【００１７】
図２は、図１の組み立てられたサイレンサバッフル２８の一実施形態の概略側面図である。サイレンサバッフル２８は、複数のバッフルセクション３６を含み、これらは、嵌合するインターロック構造３８を介して隣接するバッフルセクション３６に結合される。嵌合するインターロック構造３８は、嵌合レール部分、嵌合ダブテール継手、嵌合フックおよびスロット継手、嵌合ラッチ、嵌合するスナップフィット結合、またはこれらの任意の組み合わせを含むことができる。バッフルセクション３６は、前縁セクション４０と、後縁セクション４２と、前縁セクション４０と後縁セクション４２との間に配置された中間セクション４４とを含むことができる。バッフルセクション３６の各々の数は、ダクト２７、上部パネル８２、および／または底部パネル８４の寸法（例えば、長さ、幅など）に部分的に基づいて変化してもよい。バッフルセクション３６の一部の外縁は、嵌合するインターロック機構を利用できないことが理解されよう（列５０ｂの半径方向の最も外側の縁を参照）。
【００１８】
吸気２４は、吸気ハウジング２６の上流部分またはチャンバ４６から下流部分またはチャンバ４８に流れる。吸気２４が吸気ハウジング２６を通って流れるにつれて、空気流はサイレンサバッフル２８のより空気力学的な形状によって改善される。バッフルセクション３６は、サイレンサバッフル２８の前縁２９と後縁３１との間に輪郭を付けられた外面を含み、それによってサイレンサバッフル２８の翼形形状の外周部（図１３参照）を形成することができる。以下で詳細に説明するように、バッフルセクション３６は、列５０内に配置され（例えば、半径方向１５に重ねて積み重ねられ）、嵌合するインターロック構造３８（例えば、嵌合レール部分、嵌合ダブテール継手、嵌合フックおよびスロット継手、嵌合ラッチ、嵌合するスナップフィット結合、またはこれらの任意の組み合わせ）を介して行５２内で互いに結合され（例えば、軸方向１３にインターロックされ）てもよい。嵌合するインターロック構造３８は、バッフルセクション３６を軸方向１３および／または半径方向１５に制限することができる。列５０（例えば、５０ａ、５０ｂなど）および行５２は、格子状に方向付けられてもよく、互い違いに配列されてもよく、または他の適切な構成で配置されてもよい。
【００１９】
バッフルセクション３６の少なくとも１つは、支持構造体５４の周りに取り付けられてもよいことが理解されよう。いくつかの実施形態では、支持構造体５４は、上部パネル８２および底部パネル８４に取り付けられる（例えば、ねじ込み、ボルト締め、溶接で）ロッド５６であってもよい。ロッド５６は、パネル８２，８４を拘束して、パネル８２，８４の負荷を低減するための荷重支持要素として機能することができる。ロッド５６は、円形、正方形、長方形、または任意の他の適切な形状であってもよい。ロッド５６は、ロッド支持通路５１を通って配置され、列５０（例えば、バッフルセクション３６）を安定させる。ロッド５６が前縁セクション４０を貫通して配置されているように示されているが、バッフルセクション３６（例えば、後縁セクション４２、中間セクション４４など）のいずれもが、ロッド５６を介してパネル８２，８４に固定されてもよいことが理解されよう。さらに、ロッド５６は、１つおきのバッフルセクション３６に配置されてもよく、各第３のバッフルセクション３６に配置されてもよく、またはバッフルセクション３６をパネル８２，８４に固定するための任意の他の適切な方法で配置されてもよい。バッフルセクション３６は、以下に詳細に説明するように、ロッド５６に結合する第１のバッフル部分６８および第２のバッフル部分７０（図４〜１１参照）を含むことができる。バッフルセクション３６の少なくとも１つを、１つまたは複数のクランプ５１を介して流体導管（例えば、ダクト２７）に結合することができる。クランプ５１は、バッフルセクション３６をパネル８２，８４に固定することができる。図３を参照して説明したように、バッフルセクション３６の最上行５２および最下行５２を、１つまたは複数のレールガイド５８を介してパネル８２および８４に取り付けることができる。
【００２０】
図３は、流体導管（例えば、ダクト２７）の内側に配置された複数のレールガイド５８を有するパネル８０の一実施形態の断面図である。レールガイド５８は、流体導管（例えば、ダクト２７）の第１の側面（例えば、上部パネル８２）上に配置された第１のレールガイドおよび／または流体導管（例えば、ダクト２７）の第２の側面（例えば、底部パネル８４）上に配置された第２のレールガイドを含むことができる。レールガイド５８は、サイレンサバッフル２８が流体導管内に整列するのを助けることができるため、サイレンサバッフルは互いに実質的に平行のままであることができる。レールガイド５８は開放端６０を有することができ、パネル８０は、図１の線３−３に沿った吸気ハウジング２６の上部パネル８２または底部パネル８４側に沿って配置される。図示された実施形態では、各レールガイド５８は、外縁またはリム６２を有する。各レールガイド５８は、周囲の外縁６２の間に一定の幅６４を有する。言い換えると、開放端における幅６４は、閉鎖端６６における幅６４と実質的に同じである。レールガイド５８は、開放端６０を含み、バッフルセクション３６（例えば、個々のバッフルセクション３６、予め組み立てられたバッフルセクション３６）をレールガイド５８の方向１９に摺動させることができる。さらに詳細に後述するように、１つまたは複数のロッド５６を１つまたは複数のバッフルセクション３６に挿入することによって、バッフルセクション３６（および各々のサイレンサバッフル２８全体）の列５０をさらに安定させることができる。図示された実施形態では、後縁セクション４２と中間セクション４４とを最初に互いに結合し、次にパネル８２，８４に固定することができる。前縁セクション４０は、ロッド５６の周りに取り付けられ、組み立てられた後縁セクション４２および中間セクション４４に結合され得る。サイレンサバッフル２８の組立体は、図４〜図１２を参照してさらに理解することができる。
【００２１】
図４〜図１２は、第１のバッフル部分６８と第２のバッフル部分７０とをそれぞれ有するバッフルセクション３６（例えば、前縁セクション４０、後縁セクション４２、および中間セクション４４）を示している。各セクションのバッフルセクション３６（前縁セクション４０、後縁セクション４２、および中間セクション４４）は、そのセクションのための他のバッフルセクション３６に対して同じまたは異なる長さを有し得ることが理解されよう。バッフル部分６８，７０は、内部チャンバ７１を含む。第１のバッフル部分６８および第２のバッフル部分７０は、それぞれ第１の内部チャンバまたはチャンバ部分７３および第２の内部チャンバまたはチャンバ部分７５を含む。第１および第２のバッフル部分６８，７０は、サイレンサバッフル２８の前縁２９と後縁３１との間の距離３３の少なくとも一部分に延びる第１の側壁７６および第２の側壁７８を含む。第１および第２のバッフル部分６８，７０は、第１および第２の側壁７６，７８によって画定された第１および第２のバッフルシェル部分６７，６９をそれぞれ含む。側壁７６，７８の軸方向１３の長さは、サイレンサバッフル２８の長さに基づいて変化してもよい。各バッフルセクション３６の第１のバッフル部分６８の第１の内部チャンバ７３および第２のバッフル部分７０の第２の内部チャンバ７５には、音響減衰材料で作られた１つまたは複数の吸音インサート７２が配置される。音響減衰材料は、吸音材料として機能することができる。音響減衰材料は、ミネラルウッド、玄武岩ウール、ガラス繊維、メラミン発泡体、ポリウレタン発泡体、または他の適切な材料を含むことができる。吸音インサート７２は、適切な形状およびサイズに切断され、ノイズ減衰要素として機能することができる。各吸音インサート７２は、１つまたは複数の開口部７４を有してもよい。開口部７４を用いて、バッフルセクション３６の第１のバッフル部分６８および／または第２のバッフル部分７０に取り付けられた一対の嵌合継手８８（例えば、雄型継手９０および雌型継手９２）上に吸音インサート７２を揺動させることができる。嵌合継手８８は、スナップフィット継手、嵌合ラッチ、スロット継手の嵌合フック、嵌合する締まり嵌め継手、嵌合する雄雌ねじ付きファスナ、嵌合するねじなしファスナ、嵌合する工具不要のファスナ（例えば、工具なしで結合および結合解除する）、嵌合クランプ、嵌合ストラップなどを含むことができる。
【００２２】
図４は、組み立て前の図１〜図２の線４−４に沿ったサイレンサバッフル２８の後縁セクション４２の一実施形態の断面図である。後縁セクション４２は、第１のバッフル部分６８と第２のバッフル部分７０とを含む。第１のバッフル部分６８は、互いに対向して向けられた第１の外面９４と第１の内面９６とを含む。同様に、第２のバッフル部分７０は、互いに対向する第２の外面９８および第２の内面１００を有する。第１のバッフル部分６８および第２のバッフル部分７０を同じ射出成形によって製造することができることが理解されよう。外面９４，９８は、一般に、互いに反対を向いており、サイレンサバッフル２８が組み立てられたとき、流体ダクト２７内の流体の流れにさらされる。第１のバッフル部分６８と第２のバッフル部分７０とが嵌合継手８８を介して互いに結合されたとき、内面９６，１００は、一般に、互いに向き合っている。
【００２３】
第１のバッフル部分６８と第２のバッフル部分７０とが互いに結合される前に、第１のインサート１０２は、第１のインサート１０２を方向１９に第１のチャンバ部分７３内に揺動させることによって、第１のバッフル部分６８の第１のチャンバ部分７３に挿入される。第２のインサート１０４は、第２のインサート１０４を方向１９と反対の方向２１に第２のチャンバ部分７５内に揺動させることによって、第２のバッフル部分７０の第２のチャンバ部分７５に挿入される。開口部７４を用いて、第１のインサート１０２を嵌合継手８８の上に揺動させる。開口部７４は、嵌合継手８８を収容するのに適した形状を有することができる。図示された実施形態では、開口部７４は、嵌合継手８８に適合するように円筒形である。嵌合継手８８の数は、バッフルセクション３６が組み立てられたバッフル２８内のどこに配置されるか、バッフルセクション３６のタイプ（例えば、前縁セクション４０、後縁セクション４２、または中間セクション４４）、または他の要因に依存して変化してもよい。
【００２４】
いくつかの実施形態では、種々の嵌合継手８８が、バッフルセクション３６の内面９６，１００に沿って交互に配置されてもよい。例えば、各バッフルセクション３６の各バッフル部分６８，７０は、複数の雄型継手９０および／または雌型継手９２（例えば、雄型および雌型継手９０，９２の交互の分布またはシーケンス）を含むことができ、これにより、外周部（例えば、周辺継手）または中央領域（例えば、中央継手）に沿って複数の嵌合継手８８を画定する。例えば、第１のバッフル部分６８は、第１のバッフル部分６８の第１の内面９６に沿って第１の雌型継手９２に隣接する第１の雄型継手９０を含むことができる。第２のバッフル部分７０上の嵌合継手８８の位置は、第１のバッフル部分６８上の嵌合継手８８の位置によって部分的に決定されてもよい。例えば、第２のバッフル部分７０上の第２の雌型継手９２は、第１のバッフル部分６８と交差して配置され、バッフル部分６８，７０が互いに結合されたときに第１のバッフル部分６８上に配置された第１の雄型継手９０を受け入れることができる。第２の雄型継手９０は、第２のバッフル部分７０上の第１のバッフル部分６８と交差して配置され、バッフル部分６８，７０が互いに結合されたときに第１のバッフル部分６８上に配置された第１の雌型継手９２を受け入れることができる。嵌合継手８８が互いに結合されると、図５に示すように、第１のインサート１０２および第２のインサート１０４は、バッフル部分６８，７０によって覆われる。
【００２５】
図５は、組み立て後の図１〜図２の線４−４に沿ったサイレンサバッフル２８の後縁セクション４２の一実施形態の断面図である。雄型継手９０が雌型継手９２に挿入されると、第１のバッフル部分６８と第２のバッフル部分７０とが互いに結合されて、後縁セクション４２が形成される。嵌合するインターロック構造３８は、破線１０６によって示され、後縁セクション４２を中間セクション４４に接続するために使用され得る。上述したように、嵌合するインターロック構造３８は、嵌合レール部分、嵌合ダブテール継手、嵌合フックおよびスロット接合部、嵌合ラッチ、またはこれらの任意の組み合わせを含むことができる。いくつかの実施形態では、中間セクション４４は、後縁セクション４２が中間セクション４４に結合される前に組み立てられてもよい。
【００２６】
図６は、組み立て前の図１〜図２の線４−４に沿ったサイレンサバッフル２８の中間セクション４４の一実施形態の断面図である。後縁セクション４２を参照して上述したように、中間セクション４４は、第１のバッフル部分６８および第２のバッフル部分７０を含む。第１のバッフル部分６８は、互いに向きが反対の第１の外面９４と第１の内面９６とを含む。同様に、第２のバッフル部分７０は、互いに対向する第２の外面９８と第２の内面１００とを含む。外面９４，９８は、一般に、互いに向かい合っていて、サイレンサバッフル２８が組み立てられたとき、流体導管内の流体の流れにさらされる。第１のバッフル部分６８と第２のバッフル部分７０とが嵌合継手８８を介して互いに結合されたとき、内面９６，１００は、一般に、互いに向き合っている。バッフルセクションの外周部に沿って縁部に最も近接して配置された嵌合継手８８を、周辺嵌合継手８９として説明することができる。中央領域の周辺嵌合継手８９の間に配置された嵌合継手８８を、中央嵌合継手９１として説明することができる。図１０〜図１２に示す嵌合継手８８を、３つ以上の嵌合継手８８を利用する実施形態において同様の方法で説明することができる。
【００２７】
上述したように、第１のインサート１０２は、第１のインサート１０２を方向１９に第１のチャンバ部分７３内に揺動させることによって、第１のバッフル部分６８内に挿入される。第２のインサート１０４は、第２のインサート１０４を方向１９と反対の方向２１に第２のチャンバ部分７５内に揺動させることによって、第２のバッフル部分７０に挿入される。開口部７４を用いて、第１のインサート１０２を嵌合継手８８の上に揺動させる。理解され得るように、バッフル部分６８，７０は、１，２，３，４，６，７，８，９，１０，１５，２０，３０またはそれ以上の嵌合継手８８を用いて互いに結合することができる。図示された実施形態では、少なくとも３対（または複数対の行）の嵌合継手８８が、中間セクション４４を互いに結合するために使用される。
【００２８】
嵌合継手８８は、バッフルセクション３６（例えば、中間セクション４４）の内面９６，１００に沿って、雄型継手９０と雌型継手９２との間で交互に配置される。例えば、第１のバッフル部分６８は、第１のバッフル部分６８の第１の内面９６に沿って第１の雌型継手９２の両側に配置された雄型継手９０を含むことができる。第２のバッフル部分７０上の嵌合継手８８の位置は、第１のバッフル部分６８上の嵌合継手８８の位置によって部分的に決定されてもよい。例えば、第２のバッフル部分７０上の雌型継手９２は、第１のバッフル部分６８と交差して配置され、バッフル部分６８，７０が互いに結合されたときに、第１のバッフル部分６８上に配置された雄型継手９０を受け入れることができる。嵌合継手８８が互いに結合されると、図７に示すように、第１のインサート１０２および第２のインサート１０４は、バッフル部分６８，７０のバッフルシェル部分６７，６９によって覆われる。理解され得るように、バッフル部分６８，７０は、１，２，３，４，６，７，８，９，１０，１５，２０，３０またはそれ以上の嵌合継手８８を用いて互いに結合することができる。
【００２９】
図７は、組み立て後の図１〜図２の線４−４に沿ったサイレンサバッフル２８の中間セクション４４の一実施形態の断面図である。図７は、組み立て後のサイレンサバッフル２８の中間セクション４４の一実施形態を示している。雄型継手９０が雌型継手９２（例えば、嵌合継手８８）に挿入されると、中間セクション４４は互いに結合されて完全な中間セクション４４を形成する。図示のように、雄型継手９０および雌型継手９２は、いずれかの内面（例えば、第１の内面９６、第２の内面１００）に沿って雄型継手９０と雌型継手９２との間で交互に配置されてもよい。嵌合するインターロック構造３８は、破線１０６で示され、中間セクション４４を別の中間セクション４４、後縁セクション４２、および／または前縁セクション４０に接続するために使用されてもよい。いくつかの実施形態では、中間セクション４４は、後縁セクション４２が中間セクション４４に結合される前に組み立てられてもよい。
【００３０】
図８〜図９は、後縁セクション４２と中間セクション４４との組立体の一実施形態を示している。図８は、後縁セクション４２と中間セクション４４が嵌合するインターロック構造３８を介して互いに結合される前の図１〜図２の線４−４に沿ったサイレンサバッフル２８の後縁セクション４２および中間セクション４４の一実施形態の断面図である。上述したように、嵌合するインターロック構造３８は、嵌合レール部分、嵌合ダブテール継手、嵌合フックおよびスロット継手、嵌合ラッチ、嵌合するスナップフィット結合、またはこれらの任意の組み合わせを含むことができる。一実施形態では、嵌合するインターロック構造３８（例えば、ダブテール継手）は、相互にインターロックするように方向２１に一緒に挿入（例えば、摺動可能に結合）されてもよい。
【００３１】
図９は、後縁セクション４２と中間セクション４４が互いに結合された後の図１〜図２の線４−４に沿ったサイレンサバッフル２８の後縁セクション４２および中間セクション４４の一実施形態の断面図である。組み立てられたバッフルセクション４２，４４は、中間バッフルセクション４４から後縁バッフルセクション４２へと徐々に湾曲して（例えば、テーパが付けられて）形成され、より空気力学的な形状（例えば翼形形状のバッフル）を形成する。バッフルセクション３６は、バッフルセクション３６の外面上にパターンを有することができる。パターンは、凹部および／または突出部（例えば、ディンプル）を含むことができ、図１９を参照して以下に説明するように、バッフルシェル内に配置された音響材料（例えば、吸音材料）によってノイズが吸収されることを可能にする。
【００３２】
図１０〜図１２は、サイレンサバッフル２８の前縁セクション４０の組立体の実施形態を示している。図１０は、前縁セクション４０の第１および第２のバッフル部分６８，７０が図９の組み立てられた中間セクション４４および後縁セクション４２に結合される前の、図１〜図２の線４−４に沿ったサイレンサバッフル２８の前縁セクション４０の一実施形態の断面図である。上述したように、サイレンサバッフル２８の前縁セクション４０（例えば、第１のバッフル部分６８、第２のバッフル部分７０）は、支持構造体５４（例えば、ロッド５６）の周りに、支持構造体５４の長手方向軸５７に対して横断する方向（すなわち、垂直または実質的に垂直）に結合され得る。前縁セクション４０のみが支持構造体５４（例えば、ロッド５６）を利用するものとして示されているが、他のバッフルセクション３６（例えば、後縁セクション４２、中間セクション４４）を、後縁セクション４２および／または中間セクション４４の第１および第２のバッフル部分６８，７０の間に配置された支持構造体５４（例えば、ロッド５６）の周りに組み立てることができる。後縁バッフルセクション４２および中間バッフルセクション４４を、図３を参照して上述したように、前縁セクション４０を取り付ける前にレールガイド５８に取り付けることができる。
【００３３】
支持構造体５４が第１のバッフル部分６８と第２のバッフル部分７０との間で利用されるとき、バッフル部分６８，７０はクランププレート１１６（例えば可撓性プレート）を含むことができる。クランププレート１１６を、第１および第２のバッフル部分６８の両方、または第１のバッフル部分６８または第２のバッフル部分７０のいずれかに使用することができる。第１および第２のクランププレート１１６は、支持構造体５４の長手方向軸５７に対して（例えば、半径方向１５に）概ね横断する平面内に延在する。クランププレート１１６を、アクリロニトリルブタジエンスチレン、ポリプロピレン、ポリエチレン、ポリ塩化ビニル、塩素化ポリ塩化ビニル、または他の適切な熱可塑性ポリマー材料を含むプラスチックのような可撓性材料から作製することができる。クランププレート１１６は、支持構造体５４（例えば、ロッド５６）に対する追加の構造的支持を提供する。クランププレート１１６は、バッフル部分６８，７０の第１の端部１２０から第２の端部１２４まで軸方向１３に延びる湾曲凹部１１８を含む。理解され得るように、クランププレート１１６の湾曲凹部１１８は、支持構造体５４（例えば、ロッド５６）のためのクランプまたは受け入れ構造として働くことができる。クランププレート１１６は、ダクト２７やパネル８０とは独立してサイレンサバッフル２８を熱的に成長させることができる。クランププレート１１６の材料は、ダクト２７およびロッド５６の材料に対するプラスチック材料のより大きな熱膨張係数に部分的に基づいてサイレンサバッフル２８の熱的な成長を可能にすることができる。いくつかの実施形態では、クランププレート１１６は弾性を有し、撓むことができ、それによっていくらかのばね力を提供することができ、あるいはクランププレート１１６は剛性であってもよい。
【００３４】
支持構造体５４（例えば、ロッド５６）は、ダクト２７およびパネル８０（上部パネル８２、底部パネル８４）に構造的支持を提供することができる。支持構造体５４（例えば、ロッド５６）およびバッフル２８は、サイレンサバッフル２８がより軽い材料（例えば、プラスチック、複合材などの非金属材料）で作られていることに一部起因して、ダクト２７への負荷を低減し得る。このように、より軽い材料はサイレンサバッフル２８の重量を減らすことができる。
【００３５】
第１のインサート１０２および第２のインサート１０４は、凹部または湾曲した開口部１２６を含むことができ、以下に説明するように、第１および第２のインサート１０２，１０４がそれぞれのバッフル部分６８，７０に取り付けられるとき、第１および第２のインサート１０２，１０４が支持構造体５４（例えば、ロッド５６）の周りに適合するようにすることができる。上述したように、第１のインサート１０２は、第１のインサート１０２を方向１９に揺動させることによって、第１のバッフル部分６８の第１のチャンバ部分７３に挿入される。第２のインサート１０４は、第２のインサート１０４を方向１９と反対の方向２１に揺動させることによって、第２のバッフル部分７０の第２のチャンバ部分７５に挿入される。開口部７４を用いて、第１のインサート１０２を嵌合継手８８の上に揺動させる。バッフル部分６８，７０は、１，２，３，４，６，７，８，９，１０，１５，２０，３０またはそれ以上の嵌合継手８８を用いて互いに結合することができる。理解され得るように、第１のバッフル部分６８または第２のバッフル部分７０が、支持構造体５４の周りに取り付けられてもよく、またはバッフル部分６８，７０が支持構造体５４の周りに同時に取り付けられてもよい。
【００３６】
図４〜図８を参照して上述したように、第１および第２のバッフル部分６８，７０を、嵌合継手８８を介して互いに結合することができる。数種類の嵌合継手８８を、バッフルセクション３６の内面９６，１００に沿って交互に配置することができる。例えば、第１のバッフル部分６８は、第１のバッフル部分６８の第１の内面９６に沿って第１の雌型継手９２に隣接する第１の雄型継手９０を含むことができる。第２のバッフル部分７０上の嵌合継手８８の位置は、第１のバッフル部分６８上の嵌合継手８８の位置によって部分的に決定されてもよい。第２のバッフル部分７０上の第２の雌型継手９２は、第１のバッフル部分６８と交差して配置され、バッフル部分６８，７０が互いに結合されたときに第１のバッフル部分６８上に配置された第１の雄型継手９０を受け入れることができる。第２の雄型継手９０は、第２のバッフル部分７０上の第１のバッフル部分６８と交差して配置され、バッフル部分６８，７０が互いに結合されたときに第１のバッフル部分６８上に配置された第１の雌型継手９２を受け入れることができる。図示された実施形態では、２つの嵌合継手８８のみが示されているが、１，２，３，４，５，６，７，８，９，１０，１５，２０，３０またはそれ以上の嵌合継手８８（例えば、、雄型継手９０、雌型継手９２）を利用して、第１および第２のバッフル部分６８，７０が互いに結合されてもよい。
【００３７】
図１１は、前縁セクション４０の第１のバッフル部分６８が支持構造体５４の（例えば、１つの第１の側部）の周りで部分的に図９の組み立てられた中間セクション４４および後縁セクション４２に結合された後の、図１〜図２の線４−４に沿ったサイレンサバッフル２８の前縁セクション４０の一実施形態の断面図である。図示の実施形態では、第２のバッフル部分７０は、支持構造体５４（例えば、ロッド）に向かって方向１９に揺動される。第２のバッフル部分７０は、支持構造体５４（例えば、ロッド５６）に、およびその周りに、また、組み立てられた中間セクション４４および後縁セクション４２に結合される。破線１０６は、第２のバッフル部分７０が、嵌合するインターロック構造３８を介して組み立てられた中間セクション４４および後縁セクション４２にインターロックされることを示している
次に、第１のバッフル部分６８は、支持構造体５４（例えば、ロッド５６）に向かって方向２１に揺動される。雄型継手９０が雌型継手９２に挿入されて、第１のバッフル部分６８を第２のバッフル部分７０に組み立てるように、嵌合継手８８を互いに結合する（例えば、摺動可能に係合またはスナップフィットする）ことができる。嵌合継手８８が互いに結合されると、第１のインサート１０２および第２のインサート１０４は、バッフル部分６８，７０のバッフルシェル部分６７，６９によって覆われる。さらに、第１のバッフル部分６８は、嵌合するインターロック構造３８を介して中間セクション４４および後縁セクション４２に結合される。図４〜１１を参照して説明したように完全に組み立てられたサイレンサバッフル２８は、図１２を参照してさらに理解することができる。
【００３８】
図１２は、前縁セクション４０の第２のバッフル部分７０が支持構造体５４の周りで第１のバッフル部分６８に、ならびに図９の組み立てられた中間セクション４４および後縁セクション４２に結合された後の、図１〜図２の線４−４に沿ったサイレンサバッフルの前縁セクション４０の一実施形態の断面図である。理解され得るように、組み立てられたサイレンサバッフル２８のいくつかは、パネル８０の間のダクト２７に取り付けられてもよい。上述したように、サイレンサバッフル２８を、通気システム３２またはガスタービンエンジン１２の他の領域で利用することもでき、ガスの温度は、非金属材料（例えば、プラスチック、複合材料など）で作られたサイレンサバッフル２８を利用するのに十分低い。
【００３９】
図１３は、複数の雄型および雌型継手９０，９２を示す、図２の線１３−１３に沿ったサイレンサバッフル２８の前縁セクション４０の第１のバッフル部分６８の一実施形態の断面図である。前縁セクション４０では、可撓性プレート１１６の間に嵌合継手８８（例えば、雄型継手９０、雌型継手９２）を配置することができる。任意の数の（例えば、１，２，３，４，５，６またはそれ以上の）雄型継手９０および雌型継手９２が、第１のバッフル部分６８に沿って軸方向１３に配置されてもよいことが理解されよう。第１のバッフル部分６８に配置された雄型継手９０および雌型継手９２の数は、第２のバッフル部分７０に配置された雄型継手および雌型継手の数および向きに直接相関する。例えば、第１のバッフル部分６８および第２のバッフル部分７０に配置された嵌合継手８８は、雄型継手９０が雌型継手９２を横切って互いに摺動可能に係合するように相補的であってもよい。嵌合継手８８（例えば、雄型継手９０、雌型継手９２）の数および向きは、特定のバッフルセクション３６の所望の構造的支持に部分的に基づいて変化してもよい。
【００４０】
図１４は、複数の雄型および雌型継手９０，９２を示す、図２の線１４−１４に沿ったサイレンサバッフル２８の後縁セクション４２の第１のバッフル部分６８の一実施形態の断面図である。上述したように、第１のバッフル部分６８に配置された雄型継手９０および雌型継手９２の数は、第２のバッフル部分７０に配置された雄型継手および雌型継手の数および向きに直接相関する。例えば、第１のバッフル部分６８および第２のバッフル部分７０に配置された嵌合継手８８は、雄型継手９０が雌型継手９２を横切って互いに摺動可能に係合（例えば、スナップフィット）するように相補的であってもよい。任意の数の（例えば、１，２，３，４，５，６またはそれ以上の）雄型継手９０および雌型継手９２が、第１のバッフル部分６８に沿って軸方向１３に配置されてもよいことが理解されよう。
【００４１】
後縁セクション４２において、嵌合継手８８（例えば、雄型継手９０、雌型継手９２）は、構造支持体またはプレート１３０に結合されてもよい。プレート１３０は、可撓性プレート１１６が作製される材料（例えば、アクリロニトリルブタジエンスチレン、ポリプロピレン、ポリエチレン、ポリ塩化ビニル、塩素化ポリ塩化ビニル、または他の適切な熱可塑性ポリマー材料）または他の適切な材料などの、適切な材料で作られてもよい。しかしながら、プレート１３０は、支持構造体５４を受け入れるための湾曲構造１１８を有さなくてもよい。支持構造体５４が後縁セクション４２に利用される実施形態では、可撓性プレート１１６を利用して支持構造体５４を支持することができる。
【００４２】
図１５は、バッフル部分６８，７０を互いに結合するために使用される雄型継手９０および雌型継手９２の一実施形態の部分断面図である。上述のように、嵌合継手８８は、スナップフィット継手、嵌合ラッチ、スロット継手の嵌合フック、嵌合する締まり嵌め継手、嵌合する雄雌ねじ付きファスナ、嵌合するねじなしファスナ、嵌合する工具不要のファスナ（例えば、工具なしで結合および結合解除する）、嵌合クランプ、嵌合ストラップなどを含むことができる。雄型継手９０が雌型継手９２内に挿入されると、嵌合継手８８が互いに結合されて、第１および第２のバッフル部分６８，７０の間にインターロックされた結合を形成することができる。図示されているように、雄型継手９０は、狭いネック部１１０上に配置された拡大ヘッド部分またはボス部分１０９を有する突出部分１０８を有する。雌型継手９２は、リップまたは肩部１１３に通じるテーパボア１１２を有する凹部または開口部１１１を有する。部分１０９は肩部１１３にスナップ係合する。
【００４３】
図１６は、インターロック構造３８（例えば、ダブテール継手）上に配置された一体型ロック１３１（例えば、スナップフィット結合）を示す、バッフルセクション３６の部分斜視図である。具体的には、バッフルセクション３６は、インターロック構造３８の雌型インターロック部３７および雄型インターロック部３９を交互に有し、一体型ロック１３１は、各インターロック部３７および３９上にそれぞれ第１のロック部１３２および第２のロック部１３３（例えばスナップフィット結合部）を交互に有する。特に、図示されたバッフルセクション３６の交互の雌型インターロック部３７および雄型インターロック部３９は、隣接するバッフルセクション３６上の対応する雄型インターロック部３９および雌型インターロック部３７とインターロックするように構成される。同様に、図示のバッフルセクション３６の雌型インターロック部３７の各々に配置された第１のロック部１３２は、隣接するバッフルセクション３６の雄型インターロック部３９の各々に配置された対応する第２のロック部１３３と係止（例えば、スナップフィット）するように構成される。さらに、図示のバッフルセクション３６の雄型インターロック部３９の各々に配置された第２のロック部１３３は、隣接するバッフルセクション３６の雌型インターロック部３７の各々に配置された対応する第１のロック部１３２と係止（例えば、スナップフィット）するように構成される。一体型ロック１３１（例えば、嵌合する第１のロック部１３２および第２のロック部１３３）は、一旦結合されると、インターロック構造３８（例えば、嵌合する雌型インターロック部３７および雄型インターロック部３９）を固定するように構成される。図示された実施形態では、インターロック部３７および３９は雌雄嵌合するダブテール継手であり、ロック部１３２および１３３は嵌合するスナップフィット結合部である。
【００４４】
図示されているように、第１のロック部１３２は、対向する第１および第２のテーパ付きガイドまたは傾斜部１３６と１３８との間に配置されたスナップフィットの凹部または開口部１３４を有する。バッフルセクション３６が第１のバッフル部分６８および第２のバッフル部分７０の組立体であると仮定すると、第１の傾斜部１３６は第１のバッフル部分６８上に配置され、第２の傾斜部１３８は第２のバッフル部分７０上に配置される。さらに、開口部１３４は、第１のバッフル部分６８と第２のバッフル部分７０との間の境界面１４１の両側に配置された第１の開口部１３９および第２の開口部１４０によって分割されても連続的に形成されてもよい。
【００４５】
第２のロック部１３３は、第１のロック部１３２のスナップフィット開口部１３４にスナップフィットするように構成されたスナップフィット突出部１４２を有する。図示の実施形態では、スナップフィット突出部１４２は、第１の弾性アーム１４６上に配置された第１のスナップフィットタブ１４４と、第２の弾性アーム１５０上に配置された第２のスナップフィットタブ１４８とを有する。バッフルセクション３６が第１のバッフル部分６８および第２のバッフル部分７０の組立体であると仮定すると、第１のスナップフィットタブ１４４を有する第１の弾性アーム１４６は第１のバッフル部分６８上に配置され、第２のスナップフィットタブ１４８を有する第２の弾性アーム１５０は、第２のバッフル部分７０上に配置される。
【００４６】
図１７は、インターロック構造３８の雌型インターロック部３７の第１のロック部１３２の詳細をさらに示すために、図１６の線１７−１７を通る一体型ロック１３１の一実施形態の部分断面図である。矢印１５２で示すように、雄型インターロック部３９（例えば雄型ダブテール継手）が隣接するバッフルセクション３６の嵌合するインターロック構造３８の雌型インターロック部３７（例えば、雌型ダブテール継手）と摺動係合すると、第２のロック部１３３も移動して第１のロック部１３２と係合する。したがって、スナップフィットタブ１４４および１４８は、傾斜部（例えば、第１の傾斜部１３６）の１つに沿って徐々に揺動し、弾性アーム１４６および１５０は、スナップフィットタブ１４４および１４８が開口部１３４に近づくにつれて、傾斜部から上方に撓み、その後、弾性アーム１４６および１５０は、最終的に、雌型インターロック部３７および雄型インターロック部３９と完全に係合すると、スナップフィットタブ１４４および１４８を開口部１３４（例えば、開口部１３９および１４０）に付勢する（例えば、ばね付勢する）。
【００４７】
図１８は、図１６の一体型ロック１３１の一実施形態の部分断面図であり、雄型インターロック部３９上の第２のロック部１３３と完全に係合する雌型インターロック部３７の第１のロック部１３２をさらに示している。第１のロック部１３２の詳細は、図１６の線１７−１７を通る図１７に示すものと同じである。図１８は、図１６の線１８−１８に沿った第２のロック部１３３の詳細を示している。図示されているように、スナップフィットタブ１４４および１４８は開口部１３４（例えば、開口部１３９および１４０）内に配置され、弾性アーム１４６および１５０はスナップフィットタブ１４４および１４８の位置を保持する（例えば、内向きに付勢する）。その結果、スナップフィットタブ１４４および１４８は、嵌合するインターロック構造３８（例えば、雌型および雄型インターロック部３７および３９）の分離または解放を阻止し、このため、隣接するバッフルセクション３６は反対方向１５４および１５６に移動することができない。
【００４８】
図１９は、サイレンサバッフル２８の１つまたは複数のバッフルセクション３６（例えば、前縁セクション４０）の外面９４，９８の一実施形態の拡大図である。バッフルセクション３６は、バッフルセクション３６の外面９４，９８上に配置された様々なパターン１５８を含むことができる。パターン１５８はまた、吸気２４が吹き抜ける凹部または開口部を提供することができる。前縁セクション４０の外面９４，９８上に配置されたパターン１５８は、複数の凹部または開口部１６０を含む。開口部１６０は、１つまたは複数のバッフルセクション３６の外面９４，９８の間の約１〜１００％、２５〜７０％、４０〜５０％、およびそれらの間のすべての百分率を覆うことができる。開口部１６０は、吸気２４が開口部に露出することを可能にし、上述したように、バッフル部分６８，７０内に配置された吸音インサート７２（例えば、第１のインサート１０２、第２のインサート１０４）によってノイズが吸収されるようにする。開口部１６０は、前縁セクション４０、後縁セクション４２、および／または中間セクション４４などの、バッフルセクション３６のいずれかまたはすべてに配置されてもよい。図示された実施形態では、開口部１６０は、実質的に正方形または長方形の形状を有することができる。他の実施形態では、開口部１６０は、卵形、円形、三角形、六角形、またはこれらの組み合わせを含む他の形状を有してもよい。
【００４９】
図２０は、本明細書に開示された実施形態によるサイレンサバッフル２８を形成する方法１８０を示している。方法１８０は、射出成形によって相補的なバッフルセクション３６を形成する（ブロック１８２）ことを含む。上述したように、バッフルセクション３６は嵌合継手８８（例えば、雄型継手９０、雌型継手９２）を含み、嵌合継手８８（例えば、雄型継手９０）の向きが相補的な嵌合継手８８（例えば、雌型継手９２）の位置によって部分的に決定され得る。方法１８０は、ノイズが吸収されるように、バッフルセクション３６の外面９４，９８を穿孔する（ブロック１８４）ことを含む。また、ミシン目は、射出成形型から形成される。方法１８０は、バッフルセクション３６がダクト２７内での使用に適していることを確実にするために、バッフルセクション３６を検査する（ブロック１８６）ことを含むことができる。方法１８０は、吸音インサート７２をバッフル部分６８，７０内に配置する（ブロック１８８）ことを含む。上述したように、吸音インサート７２は、嵌合継手８８を収容するために吸音材料内に配置された開口部７４を有することができる。方法１８０は、嵌合継手８８を介してバッフル部分を互いに結合する（ブロック１９０）ことを含む。
【００５０】
図２１は、本明細書に開示された実施形態によるサイレンサバッフル２８を取り付ける方法２００を示している。方法２００は、バッフル部分６８，７０を互いに結合することによって、後縁バッフルセクション４２を一緒に組み立てる（ブロック２０２）ことを含む。方法２００は、バッフル部分６８，７０を互いに結合することによって、中間バッフルセクション４４を一緒に組み立てる（ブロック２０４）ことを含む。方法２００は、組み合わされた後縁バッフルセクションおよび中間バッフルセクションを形成するために、嵌合するインターロック機構３８（例えば、ダブテール継手）を介して後縁バッフルセクション４２を中間バッフルセクション４４に互いに結合する（ブロック２０６）ことを含む。方法２００は、支持構造体をダクト２７に溶接または固定することなどによって、支持構造体（例えば、ロッド５６、パイプ）をダクトに結合する（ブロック２０８）ことを含む。方法２００は、ダクトパネル８０（例えば、上部パネル８２、底部パネル８４）内のガイド５８を介してダクト２７に、またはバッフルセクションの隣接する行に、組み立てられた後縁セクション４２および中間セクション４４を揺動させる（ブロック２１０）ことを含む。方法２００は、前縁バッフルセクション４０の第１の部分を支持構造体５４の周りに、また組み立てられた後縁バッフルセクション４２および中間バッフルセクション４４に結合する（ブロック２１２）ことを含む。方法２００は、前縁バッフルセクションの第２の部分を支持構造体５４の周りに、また組み立てられた後縁バッフルセクション４２および中間バッフルセクション４４に結合して組み立てられたサイレンサバッフル２８を形成する（ブロック２１４）ことを含む。方法２００は、所望の数のサイレンサバッフルが完成するまで、本明細書に記載されているサイレンサバッフル２８を形成するステップを継続する（ブロック２１６）ことを含む。
【００５１】
特許請求された主題の技術的効果は、第１のバッフル部分６８および第２のバッフル部分７０を雄型および雌型嵌合継手８８を介して互いに結合することによってバッフルセクションを形成することを含む。吸音インサート７２は、バッフル部分６８，７０の内部チャンバ７３，７５に挿入され、ノイズを吸収することができる。１つまたは複数のバッフルセクション３６（例えば、前縁バッフルセクション）を、ダクトパネル８０に固定された支持構造体（例えば、ロッド）の周りに形成することができる。バッフル部分６８，７０は、各バッフルセクション３６（例えば、前縁バッフルセクション４０、後縁バッフルセクション４２、および中間セクション４４）を形成するために、嵌合継手８８を互いに結合することによって、バッフルセクション３６を形成することができる。バッフルセクション３６を、嵌合するインターロック機構３８を介して互いに結合することができる。少なくとも１つのバッフルセクションは、組み立てられたサイレンサバッフルの負荷を低減するために、支持構造体（例えば、ロッド）を利用することができる。
【００５２】
本明細書は、特許請求する主題を開示するために実施例を用いており、最良の形態を含んでいる。また、いかなる当業者も本主題を実施することができるように実施例を用いており、任意のデバイスまたはシステムを製作し使用し、任意の組み込まれた方法を実行することを含んでいる。本主題の特許可能な範囲は、特許請求の範囲によって定義され、当業者が想到するその他の実施例を含むことができる。このような他の実施例が請求項の字義通りの文言と異ならない構造要素を有する場合、または、それらが請求項の字義通りの文言と実質的な差異がない等価な構造要素を含む場合には、このような他の実施例は特許請求の範囲内であることを意図している。
【符号の説明】
【００５３】
１０  発電システム、発電設備
１２  ガスタービンエンジン
１３  軸方向軸
１４  空気圧縮機
１５  半径方向軸
１６  燃焼器
１７  円周方向軸
１８  燃料
１９  横方向
２０  タービン
２１  方向
２２  負荷
２４  空気、吸気、吸気ガス
２６  吸気ハウジング
２７  空気ダクト、流体導管、流体ダクト
２８  サイレンサバッフル
２９  前縁
３０  排気スタック
３１  後縁
３２  通気システム
３３  距離
３４  ファン
３６  サイレンサバッフルセクション
３７  雌型インターロック部
３８  インターロック構造、インターロック機構
３９  雄型インターロック部
４０  前縁バッフルセクション
４２  後縁バッフルセクション
４４  中間バッフルセクション
４６  チャンバ
４８  チャンバ
５０  列
５０ａ  列
５０ｂ  列
５１  ロッド支持通路、クランプ
５２  行
５４  支持構造体
５６  ロッド
５７  長手方向軸
５８  レールガイド
６０  開放端
６２  外縁、リム
６６  閉鎖端
６７  第１のバッフルシェル部分
６８  第１のバッフル部分
６９  第２のバッフルシェル部分
７０  第２のバッフル部分
７１  内部チャンバ
７２  吸音インサート
７３  第１の内部チャンバ、チャンバ部分
７４  開口部
７５  第２の内部チャンバ、チャンバ部分
７６  第１の側壁
７８  第２の側壁
８０  ダクトパネル
８２  上部パネル
８４  底部パネル
８８  嵌合継手
８９  周辺嵌合継手
９０  雄型継手
９１  中央嵌合継手
９２  雌型継手
９４  第１の外面
９６  第１の内面
９８  第２の外面
１００  第２の内面
１０２  第１のインサート
１０４  第２のインサート
１０６  破線
１０８  突出部分
１０９  ヘッド部分、ボス部分
１１０  ネック部
１１１  開口部
１１２  テーパボア
１１３  肩部
１１６  クランププレート、可撓性プレート
１１８  湾曲凹部、湾曲構造
１２０  第１の端部
１２４  第２の端部
１２６  開口部
１３０  プレート
１３１  一体型ロック
１３２  第１のロック部
１３３  第２のロック部
１３４  スナップフィット開口部
１３６  第１の傾斜部
１３８  第２の傾斜部
１３９  第１の開口部
１４０  第２の開口部
１４１  境界面
１４２  スナップフィット突出部
１４４  スナップフィットタブ
１４６  第１の弾性アーム
１４８  スナップフィットタブ
１５０  第２の弾性アーム
１５２  矢印
１５４  反対方向
１５６  反対方向
１５８  パターン
１６０  開口部
【図１】
2018115659.tif 000003
【図２】
2018115659.tif 000004
【図３】
2018115659.tif 000005
【図４】
2018115659.tif 000006
【図５】
2018115659.tif 000007
【図６】
2018115659.tif 000008
【図７】
2018115659.tif 000009
【図８】
2018115659.tif 000010
【図９】
2018115659.tif 000011
【図１０】
2018115659.tif 000012
【図１１】
2018115659.tif 000013
【図１２】
2018115659.tif 000014
【図１３】
2018115659.tif 000015
【図１４】
2018115659.tif 000016
【図１５】
2018115659.tif 000017
【図１６】
2018115659.tif 000018
【図１７】
2018115659.tif 000019
【図１８】
2018115659.tif 000020
【図１９】
2018115659.tif 000021
【図２０】
2018115659.tif 000022
【図２１】
2018115659.tif 000023
【外国語明細書】
2018115659000001.pdf